(57)【要約】【課題】軽量、かつ簡単な構造で使用時に重くなるディップチューブの錘を提供する。【解決手段】容器９内の内溶液を流入させる入口部２７が底部に形成され、かつ上端部にディップチューブ８が接続するカプセル２０で構成されると共に、その容積が、内溶液を充填された状態で、内溶液を充填されているディップチューブ８を沈める重量になるように設定されている。カプセル２０は、使用状態で内溶液が充填されることにより、その重量により錘として機能する。残量が少なくなって液面レベルがカプセル位置を下回っても、通常状態で吐出器の流路が閉鎖されていることにより、内容液は負圧作用により入口部２７から容器９内へ流出することは無く錘機能を維持する。【選択図】　　　　　図１
2004106853.tif 000002
【特許請求の範囲】
【請求項１】
容器の頭部に設けられて内溶液を吐出させる吐出器に接続されるディップチューブの錘において、
容器内の内溶液を流入させる入口部が底部に形成され、かつ上端部にディップチューブが接続するカプセルで構成されると共に、その容積が、内溶液を充填された状態で、内溶液を充填されている前記ディップチューブを内溶液内に沈め得る重量になるように設定されていることを特徴とするディップチューブの錘。
【請求項２】
カプセル内が、異物の流入を防止するメッシュで仕切られていることを特徴とする請求項１記載のディップチューブの錘。
【請求項３】
カプセルが、ディップチューブが接続する上側カプセル部と、内溶液が流入する入口部を備えた下側カプセル部とで構成されると共に、この上側カプセル部の下端部と前記下側カプセル部の上端部との周面部同士がメッシュを介して係合されることを特徴とする請求項１記載のディップチューブの錘。
【発明の詳細な説明】
【０００１】
【発明の属する技術分野】
本発明は、容器の頭部に設けられて内溶液を吐出させる噴射バルブ、ポンプ等の吐出器に接続されるディップチューブの錘に関するものである。
【０００２】
【従来の技術】
この種の錘は、特開平１１−２７８５２６号公報等により、容器の種々の姿勢或いは少なくなった残量での使用に際してディップチューブの浸漬を確実にするために、ガラス玉等の錘本体をホルダに保持させて重量を増加させるのが種々周知である。また、特開２００１−２０５１４６号公報により先端部に異物の流入を防止するフイルタ用小孔を備えた合成樹脂製の筒状錘も周知である。
【０００３】
【発明が解決しようとする課題】
これらの錘はいずれも通常の中実体としての重量でディップチューブを沈めることを前提にしたもので、使用前後において当然同じ重量になる。
【０００４】
本発明は、このような点に鑑みて、軽量、かつ簡単な構造で使用時に重くなるディップチューブの錘を提供することを目的とする。
【０００５】
【課題を解決するための手段】
本発明は、この目的を達成するために、請求項１により、容器の頭部に設けられて内溶液を吐出させる吐出器に接続されるディップチューブの錘において、容器内の内溶液を流入させる入口部が底部に形成され、かつ上端部にディップチューブが接続するカプセルで構成されると共に、その容積が、内溶液を充填された状態で、内溶液を充填されているディップチューブを沈める重量になるように設定されていることを特徴とする。
【０００６】
カプセルは使用状態で内溶液が充填されることにより、その重量により錘として機能する。容器の姿勢が変化して液面レベルがカプセル位置を下回ろうとすると、カプセルは液中へ移動する。残量が少なくなって液面レベルがカプセル位置を下回っても、通常状態で吐出器の流路が閉鎖されていることにより、内容液は負圧作用により入口部から容器内へ流出することは無く錘機能を維持する。
【０００７】
【発明の実施の形態】
図１及び図２を基に本発明の実施の形態によるエアゾール容器用ディップチューブの錘を説明する。エアゾール容器９の頭頂部に装着されるマウンティングカップ１のステム挿通口１ｃを備えたボス部１ａに、ステム式の噴射バルブを構成するハウジング３が保持されている。ステム挿通口１ｃから突出するステム１０の周壁に形成されたステム孔１２は、その周囲の環状着座溝１５に先端部を侵入させてその先端面を弾性圧接状態で着座させるゴム製の環状ステムガスケット５でシールされる。ステム１０が押し下げ操作されると、ステムガスケット５の内周部分が連動して着座溝１５内で下方へ撓むことにより非着座状態となって開放され、ハウジング３に導入された内容物が吐出可能となり、押し下げ操作が解除されるとばね６で通常位置に復帰させられる。
【０００８】
このようにハウジング３に内容物を導入させるために、その底部に形成された入口部１７には、先端部にカプセル２０が接続されたディップチューブ８のチューブ基端部８ａが接続されている。カプセル２０は、上端部にディップチューブ８の先端部が嵌入される出口部２２を備え、かつ下端部に外径を小さくされた環状の係合部２１が形成された上側カプセル部２０ａと、内溶液が流入する入口部２７を底部に備えた下側カプセル部２０ｂとで構成されている。
【０００９】
これらの上側カプセル部及び下側カプセル部は、異物の流入を防止するように、ステム１０のステム孔１２よりも小さな多数の網目を有するメッシュ２５で仕切られようになっている。即ち、このメッシュは、係合部２１に係合し得る直径の周壁部２５ａを有すると共に、下側カプセル部２０ｂの内径は、周壁部２５ａを介在させて、その上端部で係合部２１に係合するように設定されている。カプセル２０の容積が、内溶液を充填された状態で、内溶液が充満しているディップチューブ８を沈め得る重量になるように設定されている。
【００１０】
このように構成されたカプセル２０の動作は次の通りである。通常状態でハウジング３、ディップチューブ８及びカプセル２０には内溶液が充満しており、このカプセルは錘としてディップチューブ８をエアゾール容器９の液中に沈める。
また、エアゾール容器９の姿勢変化により液面レベルがカプセル２０の位置を下回ろうとすると、その重量により液中へ移動する。内溶液の残量が少なくなってきて液面がエアゾール容器９の底面に近づいてきても、カプセル２０に充填されている内溶液は、先方側のステム１０のステム孔１２が閉鎖されているために、流出しようとしても負圧作用により保持され、したがって錘として機能して底部に留まる。
【００１１】
これにより、ステム１０が押下げ操作されると、内容液がカプセル２０の出口部２２からディップチューブ８に流入して、ステム１０に装着される噴射ヘッドの噴射口から噴射が行われると共に、入口部２７から内容液が流入して補填が行われて、充填状態が維持される。その際、異物が流入してもステム孔１２よりも小さな形状の網目を有するメッシュ２５で阻止され、多数の網目の存在により個々の網目に異物が捕捉されても噴射圧の低下は回避される。
【００１２】
残量が少なくなって液面レベルがカプセル２０の位置を下回っても、内溶液が充満したカプセル２０は、その重量を保持して姿勢に応じてその最下液位置に向けて移動する。最終的には、カプセル２０を含めてハウジング３が空になるまで噴射が行われる。
【００１３】
以上、エアゾール容器用ディップチューブの錘について説明したが、本発明は吐出器としてトリガ式或いは昇降操作式のポンプに接続するディップチューブの錘にも適用可能である。その外、通常状態で流路を閉鎖している他種の吐出器にも適用可能である。例えば、容器の底部を上方へ圧縮したり或いは周面を圧搾することにより吐出を行わせる押出し或いは圧搾式の吐出器の錘としても適用可能である。さらに、容器頭部に設けられたヘッド基部に回動可能に支持された回動部が、通常状態で容器内に連通する吐出チューブを挟圧して閉鎖し、使用時に回動部が開放操作されると、吐出チューブが挟圧を解除されて内容液を吐出可能にするチューブ挟圧式吐出器にも適用可能である。この場合、吐出チューブの連続するディップチューブ部分又は別体として接続されるディップチューブにカプセルを接続し、同様に所属の吐出器の流路の小孔領域よりも小さな網目を多数有するフィルタ用メッシュで内部を仕切ることができる。
【００１４】
【発明の効果】
請求項１の発明によれば、使用後に軽くなる簡単な構造の錘が実現される。
請求項２の発明によれば、カプセル内にフィルタ用メッシュを装着して、小さな異物を確実に阻止することが可能となり、また多数の網目を有することにより異物の捕捉に起因する吐出圧の低減も充分抑制し得る。その際、請求項３の発明によれば、２分割したカプセル部分間にメッシュを簡単に装着することができる。
【図面の簡単な説明】
【図１】本発明の実施の形態によるディップチューブの錘が付属したエアゾール容器の断面図である。
【図２】同錘の分解斜視図である。
【符号の説明】
３　ハウジング
８　ディップチューブ
９　エアゾール容器
１０　ステム
２０　カプセル
２０ａ　上側カプセル部
２０ｂ　下側カプセル部
２１　カプセルの係合部
２５　メッシュ２５
２７　入口部
【図１】
2004106853.tif 000003
【図２】
2004106853.tif 000004